(57)【要約】【課題】イヤホンの装着を検出するタイミングと、イヤホンの種類の検出タイミングとが異なる場合において、装着されたイヤホンの種類をより確実に確定すること。【解決手段】電子機器は、音声制御部１４を有し、イヤホン９に音声を出力可能である。イヤホン９のイヤホン側端子２０は、電子機器１のイヤホン接続端子８に差し込まれる。イヤホン接続端子８は、イヤホン９が電子機器１に装着されるときに、イヤホン９と先に接触する第１接点、及び当該第１接点がイヤホン９と接触した後にイヤホン９と接触する第２接点を有する。イヤホン検出制御部１３は、イヤホン９がイヤホン接続端子８に差し込まれたことを検出してから所定の待機時間が経過した後に、イヤホン９がステレオイヤホンであるかモノラルイヤホンであるかを検出する。【選択図】図３
2010177773.tif 000002
【特許請求の範囲】
【請求項１】
イヤホンに音声を出力可能な電子機器において、
イヤホンが前記電子機器に装着されるときに当該イヤホンと先に接触する第１接点、及び当該第１接点が前記イヤホンと接触した後に前記イヤホンと接触する第２接点を有するイヤホン接続端子と、
前記イヤホンが前記イヤホン接続端子に差し込まれたことを検出してから所定の待機時間が経過した後に、前記イヤホンがステレオイヤホンであるかモノラルイヤホンであるかを検出するイヤホン検出手段と、
を含むことを特徴とする電子機器。
【請求項２】
前記イヤホンに音声信号を出力する音声処理手段を備え、
当該音声処理手段は、
前記イヤホンが前記イヤホン接続端子に差し込まれたことを前記イヤホン検出手段が検出した後、まずステレオイヤホンに対応する動作をする請求項１に記載の電子機器。
【請求項３】
前記音声処理手段は、
前記イヤホンがステレオイヤホンであることを前記イヤホン検出手段が検出した場合、ステレオイヤホンに対応する動作を継続する請求項２に記載の電子機器。
【請求項４】
前記音声処理手段は、
前記イヤホンがモノラルイヤホンであることを前記イヤホン検出手段が検出した場合、ステレオイヤホンに対応する動作をモノラルイヤホンに対応する動作に切り替える請求項２又は３に記載の電子機器。
【請求項５】
前記音声処理手段は、
前記イヤホンが前記イヤホン接続端子から抜き取られるまでは、前記イヤホン検出手段が検出したイヤホンに対応する動作を継続する請求項３又は４に記載の電子機器。
【請求項６】
イヤホンが電子機器に装着されるときに前記イヤホンと先に接触する第１接点、及び当該第１接点が前記イヤホンと接触した後に当該イヤホンと接触する第２接点を有するイヤホン接続端子と、前記イヤホンに音声信号を出力する音声処理手段とを有する電子機器に装着されるイヤホンを検出するにあたり、
前記イヤホンが前記イヤホン接続端子に差し込まれたことを検出する手順と、
前記イヤホンが前記イヤホン接続端子に差し込まれたことを検出してから所定の待機時間が経過した後に、前記イヤホンがステレオイヤホンであるかモノラルイヤホンであるかを検出する手順と、
を含むことを特徴とするイヤホン検出方法。
【請求項７】
前記イヤホンが前記イヤホン接続端子に差し込まれたことを検出した後、少なくとも前記イヤホン接続端子に差し込まれたイヤホンがステレオイヤホンであるかモノラルイヤホンであるかが検出されるまでは、前記音声処理手段に対して前記ステレオイヤホンに対応する動作を継続させる請求項６に記載のイヤホン検出方法。
【発明の詳細な説明】
【技術分野】
【０００１】
本発明は、イヤホンに音声信号を出力する機能を有する電子機器及びイヤホン検出方法に関する。
【背景技術】
【０００２】
携帯電話機やＰＤＡ（Personal Data Assistant）等の電子機器には、接続端子を介して着脱可能なイヤホンを装着し、このイヤホンに音声を出力するものがある。例えば、特許文献１には、イヤホンがステレオ用であるかモノラル用であるかを検出するための第１の検出用端子と、イヤホンが接続されているか否かを検出するための第２の検出用端子とを有するイヤホンプラグを用いることが開示されている。
【先行技術文献】
【特許文献】
【０００３】
【特許文献１】特開２００７−１４２９８７号公報
【発明の概要】
【発明が解決しようとする課題】
【０００４】
これまで、イヤホンが装着されたことを検出する端子、及び装着されたイヤホンがステレオイヤホンであるかモノラルイヤホンであるかを検出する端子を用いる場合、イヤホンが装着されたことの検出と、装着されたイヤホンがステレオイヤホンであるかモノラルイヤホンであるかの検出とは同時に実行されていた。
【０００５】
ところで、近年においては、イヤホンが電子機器に装着されたことの検出に用いるイヤホン側の端子（イヤホン検出用端子）が、装着されたイヤホンがステレオイヤホンであるかモノラルイヤホンであるかの検出に用いるイヤホン側の端子（ステレオ検出用端子）よりも先に電子機器の接続端子に接触するものがある。
【０００６】
このような構造においては、イヤホン検出用端子と電子機器の接続端子とが接触した後に、ステレオ検出用端子と電子機器の接続端子とが接触する。このため、イヤホンが装着されたことの検出と、装着されたイヤホンがステレオイヤホンであるかモノラルイヤホンであるかの検出とを同時に実行すると、一旦モノラルイヤホンであることが検出された後にステレオイヤホンであることが検出されることがある。すると、イヤホンの装着時にモノラル動作からステレオ動作に切り替えることになり、動作の切り替え時にはノイズが発生することがあった。
【０００７】
このように、イヤホンの装着を検出するタイミングが、イヤホンの種類（ステレオイヤホンあるいはモノラルイヤホン）の検出タイミングよりも早いものにおいては、従来は、イヤホンが装着されてからの時間によっては、検出されたイヤホンの種類が不確定になるという問題がある。本発明は、上記に鑑みてなされたものであって、イヤホンの装着を検出するタイミングと、イヤホンの種類の検出タイミングとが異なる場合において、装着されたイヤホンの種類をより確実に確定することを目的とする。
【課題を解決するための手段】
【０００８】
上述した課題を解決し、目的を達成するために、本発明に係る電子機器は、イヤホンに音声を出力可能な電子機器において、イヤホンが前記電子機器に装着されるときに当該イヤホンと先に接触する第１接点、及び当該第１接点が前記イヤホンと接触した後に前記イヤホンと接触する第２接点を有するイヤホン接続端子と、前記イヤホンが前記イヤホン接続端子に差し込まれたことを検出してから所定の待機時間が経過した後に、前記イヤホンがステレオイヤホンであるかモノラルイヤホンであるかを検出するイヤホン検出手段と、を含むことを特徴とする。
【０００９】
本発明の望ましい態様としては、前記電子機器において、前記イヤホンに音声信号を出力する音声処理手段を備え、当該音声処理手段は、前記イヤホンが前記イヤホン接続端子に差し込まれたことを前記イヤホン検出手段が検出した後、まずステレオイヤホンに対応する動作をすることが好ましい。
【００１０】
本発明の望ましい態様としては、前記電子機器において、前記音声処理手段は、前記イヤホンがステレオイヤホンであることを前記イヤホン検出手段が検出した場合、ステレオイヤホンに対応する動作を継続することが好ましい。
【００１１】
本発明の望ましい態様としては、前記電子機器において、前記音声処理手段は、前記イヤホンがモノラルイヤホンであることを前記イヤホン検出手段が検出した場合、ステレオイヤホンに対応する動作をモノラルイヤホンに対応する動作に切り替えることが好ましい。
【００１２】
本発明の望ましい態様としては、前記電子機器において、前記音声処理手段は、前記イヤホンが前記イヤホン接続端子から抜き取られるまでは、前記イヤホン検出手段が検出したイヤホンに対応する動作を継続することが好ましい。
【００１３】
上述した課題を解決し、目的を達成するために、本発明に係るイヤホン検出方法は、イヤホンが電子機器に装着されるときに前記イヤホンと先に接触する第１接点、及び当該第１接点が前記イヤホンと接触した後に当該イヤホンと接触する第２接点を有するイヤホン接続端子と、前記イヤホンに音声信号を出力する音声処理手段とを有する電子機器に装着されるイヤホンを検出するにあたり、前記イヤホンが前記イヤホン接続端子に差し込まれたことを検出する手順と、前記イヤホンが前記イヤホン接続端子に差し込まれたことを検出してから所定の待機時間が経過した後に、前記イヤホンがステレオイヤホンであるかモノラルイヤホンであるかを検出する手順と、を含むことを特徴とする。
【００１４】
本発明の望ましい態様としては、前記イヤホン検出方法において、前記イヤホンが前記イヤホン接続端子に差し込まれたことを検出した後、少なくとも前記イヤホン接続端子に差し込まれたイヤホンがステレオイヤホンであるかモノラルイヤホンであるかが検出されるまでは、前記音声処理手段に対して前記ステレオイヤホンに対応する動作を継続させることが好ましい。
【発明の効果】
【００１５】
本発明は、イヤホンの装着を検出するタイミングと、イヤホンの種類の検出タイミングとが異なる場合において、装着されたイヤホンの種類をより確実に確定できる。
【図面の簡単な説明】
【００１６】
【図１】図１は、本実施形態に係る電子機器の正面図である。
【図２】図２は、本実施形態に係る電子機器の側面図である。
【図３】図３は、本実施形態に係る電子機器の機能を説明するためのブロック図である。
【図４−１】図４−１は、本実施形態に係る電子機器のイヤホン接続端子に差し込まれるイヤホン側端子の構造を示す説明図である。
【図４−２】図４−２は、本実施形態に係る電子機器が備えるイヤホン接続端子の説明図である。
【図４−３】図４−３は、本実施形態に係る電子機器が備えるイヤホン接続端子の説明図である。
【図５】図５は、イヤホン検出用接点の長さとステレオ検出用接点の長さとが同一のイヤホン側端子を用いた場合におけるイヤホン検出のタイミングチャートである。
【図６】図６は、イヤホン検出用接点の長さとステレオ検出用接点の長さとが異なるイヤホン側端子を用いた場合におけるイヤホン検出のタイミングチャートである。
【図７】図７は、イヤホン検出用接点の長さとステレオ検出用接点の長さとが異なるイヤホン側端子を用いた場合におけるイヤホン検出のタイミングチャートである。
【図８】図８は、本実施形態に係るイヤホン検出方法の手順を示すフローチャートである。
【図９】図９は、本実施形態に係るイヤホン検出方法時のタイミングチャートである。
【図１０】図１０は、本実施形態に係るイヤホン検出方法時のタイミングチャートである。
【発明を実施するための形態】
【００１７】
以下、この発明につき図面を参照しつつ詳細に説明する。なお、この発明を実施するための形態（以下実施形態という）により本発明が限定されるものではない。また、下記実施形態における構成要素には、当業者が容易に想定できるものあるいは実質的に同一のもの、いわゆる均等の範囲内のものが含まれる。以下においては、携帯電話機を電子機器の一例として取り上げるが、本発明の適用対象は携帯電話機に限定されるものではなく、例えば、ＰＨＳ（Personal Handy phone System）、ＰＤＡ、ポータブルナビゲーション装置、ノートパソコン、ゲーム機等に対しても本発明は適用できる。
【００１８】
図１は、本実施形態に係る電子機器の正面図である。図２は、本実施形態に係る電子機器の側面図である。本実施形態は、イヤホンに音声を出力可能であり、かつイヤホンが装着されるときにそのイヤホンと先に接触する第１接点、及び第１接点が装着されるイヤホンと接触した後にそのイヤホンと接触する第２接点を有するイヤホン接続端子を有する電子機器にイヤホンを装着する場合、イヤホンがイヤホン接続端子に差し込まれたことを検出してから所定の待機時間が経過した後に、イヤホン接続端子に差し込まれたイヤホンがステレオイヤホンであるかモノラルイヤホンであるかを検出する点に特徴がある。
【００１９】
本実施形態において、図１、図２に示す電子機器１は、無線通信機能と、イヤホンにより音声を聞くことができる機能とを有する携帯電話機である。電子機器１は、筐体１Ｃが複数の筐体で構成される。具体的には、筐体１Ｃは、第１筐体１ＣＡと第２筐体１ＣＢとで開閉可能に構成される。すなわち、電子機器１は、折り畳み式の筐体を有する。なお、電子機器１の筐体は、このような構造に限定されるものではない。例えば、電子機器１の筐体は、両方の筐体を重ね合わせた状態から一方の筐体と他方の筐体とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。
【００２０】
第１筐体１ＣＡと第２筐体１ＣＢとは、連結部であるヒンジ機構４で連結されている。ヒンジ機構４は、第１筐体１ＣＡ側の第１ヒンジ部４Ａと第２筐体１ＣＢ側の第２ヒンジ部４Ｂとで構成される。ヒンジ機構４で第１筐体１ＣＡと第２筐体１ＣＢとを連結することにより、第１筐体１ＣＡ及び第２筐体１ＣＢは、ヒンジ機構４を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると電子機器１が開き、第１筐体１ＣＡと第２筐体１ＣＢとが互いに接近する方向に回動すると電子機器１が閉じて、折り畳まれた状態となる（図２の点線で示す状態）。
【００２１】
第１筐体１ＣＡには、表示部として、図１に示すディスプレイ２が設けられる。ディスプレイ２は、電子機器１が受信を待機している状態のときに待ち受け画像を表示したり、電子機器１の操作を補助するために用いられるメニュー画像を表示したりする。また、第１筐体１ＣＡには、電子機器１の通話時に音声を発するスピーカ６が設けられる。
【００２２】
第２筐体１ＣＢには、通話相手の電話番号や、メール作成時等に文字を入力するための操作キー３Ａが複数設けられ、また、ディスプレイ２に表示されるメニューの選択及び決定や画面のスクロール等を容易に実行するための方向及び決定キー３Ｂが設けられる。操作キー３Ａ及び方向及び決定キー３Ｂは、電子機器１の操作部３を構成する。また、第２筐体１ＣＢには、電子機器１の通話時に音声を受け取るマイク５が設けられる。
【００２３】
第２筐体１ＣＢの内部には、アンテナ７が設けられている。アンテナ７は、無線通信に用いる送受信アンテナであり、電子機器１と基地局との間で通話や電子メール等に係る電波（電磁波）の送受信に用いられる。アンテナ７は、第２筐体１ＣＢの第２ヒンジ部４Ｂとは反対側に配置される。
【００２４】
図２に示すように、本実施形態において、第２筐体１ＣＢの一つの側部（操作キー３Ａや方向及び決定キー３Ｂが設けられる面と略直交する面のうちの一つ）には、イヤホン接続端子８が設けられる。イヤホン接続端子８にはイヤホンが接続される。イヤホン接続端子８に接続されたイヤホンは、例えば、電子機器１の有する記憶部に格納されている音楽等の音声情報を出力したり、通話時においては通話相手の音声を出力したりする。
【００２５】
図３は、本実施形態に係る電子機器の機能を説明するためのブロック図である。電子機器１の動作は、制御装置１０により制御される。制御装置１０は、主処理部１１と、記憶部１２と、イヤホン検出制御部１３と、音声制御部１４と、通信制御部１５とを有する。主処理部１１は、記憶部１２、イヤホン検出制御部１３、音声制御部１４、通信制御部１５、ディスプレイ２、操作部３が接続される。そして、主処理部１１は、電子機器１の全体的な動作を統括的に制御する。すなわち、主処理部１１は、電子機器１の各種の処理が、操作部３の操作や電子機器１の記憶部１２に保存されるソフトウェアに応じて適切な手順で実行されるように、通信制御部１５や音声制御部１４等の動作を制御する。電子機器１の各種の処理としては、例えば、回線交換網を介して行われる音声通話、電子メールの作成及び送受信等がある。また、通信制御部１５や音声制御部１４等の動作としては、例えば、通信制御部１５における信号の送受信、音声制御部１４における音声の入出力等がある。
【００２６】
主処理部１１は、記憶部１２に保存されているプログラム（例えば、オペレーティングシステムプログラム、アプリケーションプログラム等）に基づいて処理を実行する。主処理部１１は、例えば、マイクロプロセッサユニット（ＭＰＵ：Micro Processor Unit）で構成され、前記ソフトウェアで指示された手順に従って上述した電子機器１の各種の処理を実行する。すなわち、主処理部１１は、記憶部１２に保存されるオペレーティングシステムプログラムやアプリケーションプログラム等から命令コードを順次読み込んで処理を実行する。
【００２７】
記憶部１２は、主処理部１１での処理に利用されるソフトウェアやデータを保存する。例えば、記憶部１２は、ダウンロードされた画像データや音声データ、あるいは主処理部１１が記憶部１２に対する制御に用いるソフトウェア、通信相手の電話番号やメールアドレス等を保存し管理するアドレス帳、発信音や着信音等の音声ファイル、ソフトウェアの処理過程で用いられる一時的なデータ等を保存する。記憶部１２は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００２８】
本実施形態において、音声制御部１４、通信制御部１５は、それぞれの機能を実現するための専用のＩＣ（Integral Circuit：集積回路）で構成される。なお、本実施形態においては、イヤホン検出制御部１３も専用のＩＣで構成しているが、イヤホン検出制御部１３の機能を主処理部１１で実現するようにしてもよい。
【００２９】
イヤホン検出制御部１３は、イヤホン検出手段である。イヤホン検出制御部１３は、イヤホン接続端子８と接続されており、イヤホン接続端子８にイヤホン９のイヤホン側端子２０が差し込まれ、イヤホン９が電子機器１のイヤホン接続端子８に装着されたことや、イヤホン９がステレオイヤホンであるかモノラルイヤホンであるかを検出する。なお、図３に示すイヤホン９は、右側発音部９Ｒと左側発音部９Ｌとを備えるステレオイヤホンである。
【００３０】
音声制御部１４は、音声処理手段であり、マイク（ＭＩＣ）５、スピーカ（ＳＰ）６、イヤホン９が接続される。そして、音声制御部１４は、スピーカ６やイヤホン９から出力される音声やマイク５に入力される音声の信号処理を実行する。すなわち、音声制御部１４は、マイク５から入力される音声を増幅し、ＡＤ変換（Analog Digital変換）を実行した後さらに符号化等の信号処理を施して、ディジタルの音声データに変換して主処理部１１へ出力する。また、音声制御部１４は、主処理部１１から送られる音声データに対して復号化、ＤＡ変換（Digital Analog変換）、増幅等の処理を施してアナログの音声信号に変換してから、スピーカ６やイヤホン９へ出力する。通信制御部１５は、アンテナ７が接続されており、基地局のいずれかによって割り当てられるチャンネルを介して、前記基地局との間で無線通信を行う。
【００３１】
図４−１は、本実施形態に係る電子機器のイヤホン接続端子に差し込まれるイヤホン側端子の構造を示す説明図である。図４−２、図４−３は、本実施形態に係る電子機器が備えるイヤホン接続端子の説明図である。図４−１に示すイヤホン側端子２０は、図３に示す電子機器１のイヤホン接続端子８に差し込まれる。そして、イヤホン側端子２０が有する音声信号伝達用の端子とイヤホン接続端子８が有する音声信号伝達用の接点とが接触して、電子機器１の音声制御部１４からの音声信号がイヤホン９へ伝えられる。
【００３２】
図４−１に示すように、イヤホン側端子２０は、イヤホン検出用接点２１とステレオ検出用接点２２とを有する。また、図４−２に示すように、イヤホン接続端子８は、イヤホン側端子２０のイヤホン検出用接点２１と接する第１接点８Ｃと、イヤホン側端子２０のステレオ検出用接点２２と接する第２接点８Ｍとを備える。図３に示す制御装置１０のイヤホン検出制御部１３は、イヤホン側端子２０のイヤホン検出用接点２１がイヤホン接続端子８の第１接点８Ｃと接触した場合に、イヤホン接続端子８にイヤホン側端子２０が差し込まれ、イヤホン９が電子機器１のイヤホン接続端子８に装着されたことを検出する。
【００３３】
ステレオ検出用接点２２は、イヤホンがステレオイヤホンである場合にイヤホン側端子２０に設けられ、イヤホンがモノラルイヤホンである場合にはイヤホン側端子２０には設けられない。イヤホン検出制御部１３は、イヤホン検出用接点２１が第１接点８Ｃと接触し、さらにステレオ検出用接点２２が第２接点８Ｍと接触した場合に、イヤホン検出用接点２１に差し込まれたイヤホンがステレオイヤホンであることを検出する。そして、イヤホン検出用接点２１は第１接点８Ｃと接触したが、第２接点８Ｍに接触する端子がない場合に、イヤホン検出制御部１３は、イヤホン検出用接点２１に差し込まれたイヤホンはモノラルイヤホンであることを検出する。
【００３４】
図４−１に示すように、本実施形態において、イヤホン側端子２０のイヤホン検出用接点２１の長さはステレオ検出用接点２２よりもＬだけ長い。一方、図４−３に示すように、イヤホン接続端子８の第１接点８Ｃの長さ及び第２接点８Ｍの長さは同じ長さである。このような構造により、イヤホン接続端子８の第１接点８Ｃは、イヤホンのイヤホン側端子２０がイヤホン接続端子８へ差し込まれたときにはこのイヤホンのイヤホン検出用接点２１と先に接触する。そして、第２接点８Ｍは、第１接点８Ｃがイヤホンのイヤホン検出用接点２１と接触した後に、イヤホンのステレオ検出用接点２２と接触する。その結果、イヤホン検出制御部１３は、第１接点８Ｃがイヤホン検出用接点２１に接触したことを、第２接点８Ｍがステレオ検出用接点２２に接触した（あるいは接触しない）ことよりも先に検出する。
【００３５】
なお、イヤホン側端子２０のイヤホン検出用接点２１の長さとステレオ検出用接点２２の長さとを等しくし、イヤホン接続端子８の第１接点８Ｃの長さを第２接点８Ｍの長さよりも大きくしてもよい。このような構造でも、イヤホン側端子２０がイヤホン接続端子８へ差し込まれたときには、イヤホン接続端子８の第１接点８Ｃがイヤホン検出用接点２１と先に接触する。そして、第２接点８Ｍは、第１接点８Ｃがイヤホンのイヤホン検出用接点２１と接触した後に、イヤホンのステレオ検出用接点２２と接触する。その結果、イヤホン検出制御部１３は、第１接点８Ｃがイヤホン検出用接点２１に接触したことを、第２接点８Ｍがステレオ検出用接点２２に接触した（あるいは接触しない）ことよりも先に検出することになる。
【００３６】
上述したイヤホン側端子２０を用いると、イヤホンがステレオイヤホンであるかモノラルイヤホンであるかよりも、イヤホンがイヤホン接続端子８に差し込まれたことを先に検出できる。これによって、イヤホンがイヤホン接続端子８に差し込まれたことの検出が遅れることに起因するイヤホンの誤動作を回避できる。しかし、このような構造のイヤホン側端子２０は、イヤホン側端子２０がイヤホン接続端子８に差し込まれ、イヤホンが電子機器１に装着されたことの検出（第１の検出）と、イヤホンがステレオイヤホンであるかモノラルイヤホンであるかの検出（第２の検出）とに時間差が生ずる。
【００３７】
したがって、イヤホン検出用接点２１の長さとステレオ検出用接点２２の長さとが異なるイヤホン側端子２０に対して第１の検出と第２の検出とを同時に行うと、第１の検出から第２の検出までの間は、イヤホンの種類（ステレオイヤホンあるいはモノラルイヤホン）が不確定になる。すなわち、イヤホンの装着を検出するタイミングが、イヤホンの種類の検出タイミングよりも早いものにおいては、イヤホンが装着されてからの時間によっては、検出されたイヤホンの種類が不確定になる。これに起因して、次に説明するような不具合が発生するおそれがある。
【００３８】
図５は、イヤホン検出用接点の長さとステレオ検出用接点の長さとが同一のイヤホン側端子を用いた場合におけるイヤホン検出のタイミングチャートである。図６、図７は、イヤホン検出用接点の長さとステレオ検出用接点の長さとが異なるイヤホン側端子を用いた場合におけるイヤホン検出のタイミングチャートである。図５〜図７は、いずれもイヤホンの右チャンネルのみを示しており、横軸は時間である。図５〜図７のＳｅはイヤホン側端子２０が電子機器１のイヤホン接続端子８に差し込まれたことを示す検出信号（イヤホン検出信号）であり、Ｓｓは差し込まれたイヤホンがステレオイヤホンであることを示す検出信号（ステレオ検出信号）である。また、図５〜図７のＳｔは、イヤホンに送られる音声信号である。
【００３９】
イヤホン検出用接点２１の長さとステレオ検出用接点２２の長さとが同じイヤホン側端子２０をイヤホン接続端子８に差し込むと、図５に示すように、時間Ｔｅでイヤホン検出信号Ｓｅが立ち上がり、時間Ｔｓでステレオ検出信号Ｓｓが立ち上がる。このとき、時間Ｔ１で上述した第１の検出と第２の検出とが同時に行われると、イヤホン側端子２０がイヤホン接続端子８に差し込まれてイヤホンが電子機器１に装着されたこと、及びそのイヤホンがステレオイヤホンであることが検出される。この場合、イヤホンはステレオで動作する。そして、イヤホンの動作を開始させる際に必要な制御は時間Ｔ１から実行され、これによって、電子機器１の制御装置１０を構成する音声制御部１４からイヤホンに出力される右チャンネルの音声信号Ｓｔは徐々に立ち上がるので（図５のＡで示す部分）、イヤホンの右チャンネルからはノイズは発生しない。
【００４０】
一方、イヤホン検出用接点２１の長さとステレオ検出用接点２２の長さとが異なるイヤホン側端子２０を用いると、まず、図６の時間Ｔｅでイヤホン検出信号Ｓｅが立ち上がり、イヤホンがイヤホン接続端子８に差し込まれたことが検出される（図６の時間Ｔ１）。この時点ではステレオ検出用接点２２と第２接点８Ｍとは接触していないので、イヤホン接続端子に差し込まれたイヤホンはモノラルイヤホンであると検出され、イヤホンはモノラルで動作する。イヤホンをモノラルで動作させる場合、音声制御部１４は、右チャンネル又は左チャンネルの一方のみの音声をイヤホンへ出力する（本実施形態では左チャンネル）。図６は右チャンネルの状態を示しているので、時間Ｔ１以降において、音声制御部１４は、右チャンネルの音声信号Ｓｔを出力していない。
【００４１】
この状態で、イヤホン接続端子８の第２接点８Ｍがイヤホン側端子２０のステレオ検出用接点２２と接触すると、イヤホンがモノラルで動作している最中にステレオ検出信号Ｓｓが立ち上がり（図６の時間Ｔｓ）、イヤホンがステレオイヤホンであることが検出されることになる。すると、これまでの手法では、イヤホンの動作がモノラルからステレオへ瞬間的に切り替えられるので、イヤホンの動作を開始させる際に必要な制御は実行されずに、音声制御部１４は、右チャンネルの音声信号Ｓｔをイヤホンへ出力する（図６の時間Ｔｔ、Ｎで示す部分）。その結果、これまでの手法では、イヤホンの動作をモノラルからステレオへ切り替える際にはイヤホンにノイズが発生するという不具合がある。
【００４２】
また、イヤホン側端子２０をイヤホン接続端子８へ差し込む際に、第２接点８Ｍとステレオ検出用接点２２との接触状態のみが不完全であると、図７に示すように、第２接点８Ｍとステレオ検出用接点２２とが接触したときに得られるステレオ検出信号ＳｓがＯＮ、ＯＦＦを繰り返す。すると、ステレオ検出信号ＳｓのＯＮ、ＯＦＦが繰り返される度にイヤホンの動作がモノラルからステレオへ切り替えられるので、これに対応して、音声制御部１４は右チャンネルの音声信号ＳｔをＯＮ、ＯＦＦする。その結果、イヤホンの動作切り替え時（特にモノラルからステレオに切り替わるとき）にはノイズが断続的に発生するという不具合がある（図７のＮで示す部分）。そこで、本実施形態では、次に説明する制御によって、上記不具合を回避する。
【００４３】
図８は、本実施形態に係るイヤホン検出方法の手順を示すフローチャートである。図９、図１０は、本実施形態に係るイヤホン検出方法時のタイミングチャートである。図９は、電子機器１に装着されるイヤホンがステレオイヤホンである場合を示し、図１０は、電子機器１に装着されるイヤホンがモノラルイヤホン（発音部が単一）である場合を示す。
【００４４】
ステップＳ１０１では、電子機器１の電源が投入され、電子機器１が待機状態にある。この状態で、図３に示すイヤホン９のイヤホン側端子２０が電子機器１のイヤホン接続端子８に差し込まれ、イヤホン接続端子８の第１接点８Ｃにイヤホン側端子２０のイヤホン検出用接点２１が接触すると、イヤホン検出信号Ｓｅが立ち上がる（図９、図１０の時間Ｔｅ）。図３の制御装置１０が備えるイヤホン検出制御部１３は、このイヤホン検出信号Ｓｅを取得することで、イヤホン側端子２０がイヤホン接続端子８に差し込まれ、イヤホン９が電子機器１に装着されたことを検出する（イヤホン検出）。
【００４５】
ステップＳ１０２でＮｏと判定された場合、すなわち、イヤホン検出制御部１３がイヤホン検出信号Ｓｅを取得しておらず、イヤホン側端子２０がイヤホン接続端子８に差し込まれたことを検出していない場合（イヤホン未検出）、本実施形態に係るイヤホン検出方法は終了する。ステップＳ１０２でＹｅｓと判定された場合、すなわち、イヤホン検出制御部１３がイヤホン検出信号Ｓｅを取得して、イヤホン側端子２０がイヤホン接続端子８に差し込まれたことを検出した場合（イヤホン検出）、ステップＳ１０３へ進む。
【００４６】
ステップＳ１０３において、図３の制御装置１０が備える音声制御部１４は、まず、ステレオイヤホンに対応する動作（ステレオイヤホン動作）をする。具体的には、音声制御部１４は、右チャンネル及び左チャンネルの両方の音声信号をイヤホン９に対して出力する。この場合、音声制御部１４はステレオイヤホン動作し、イヤホンの動作を開始させる際に必要な制御を時間Ｔ１から実行するので、右チャンネルの音声信号Ｓｔは時間Ｔ１から徐々に立ち上がる（図９、図１０のＡで示す部分）。これによって、電子機器１に装着されたイヤホン９がステレオイヤホンである場合、イヤホン９の右側発音部９Ｒからはノイズは発生しない（左発音部９Ｌも同様）。また、電子機器１に装着されたイヤホンがモノラルイヤホンである場合もイヤホンの発音部にノイズは発生しない。
【００４７】
次にステップＳ１０４へ進み、イヤホン検出制御部１３は、イヤホン検出後（図９、図１０の時間Ｔ１以後）、予め設定された所定の待機時間Ｔｗが経過したか否かを判定する。待機時間Ｔｗは、イヤホン検出後、ステレオ検出信号Ｓｓが立ち上がる時間よりも大きい時間に設定される。なお、イヤホン接続端子８の第２接点８Ｍにイヤホン側端子２０のステレオ検出用接点２２が接触するときにステレオ検出信号Ｓｓが立ち上がる。本実施形態では、例えば、待機時間Ｔｗを１秒〜１０秒程度の間で任意に設定できる。この待機時間Ｔｗを設けることにより、イヤホン検出制御部１３は、ステレオ検出信号Ｓｓが確実に立ち上がった状態（図９の時間Ｔｓ１以降、Ｂで示す部分）でステレオ検出信号Ｓｓを取得できる。その結果、イヤホン９の種類（ステレオイヤホンであるかモノラルイヤホンであるか）を確実に検出できる。
【００４８】
ステップＳ１０４でＮｏと判定された場合、すなわち、イヤホン検出制御部１３が待機時間Ｔｗは経過していないと判定した場合、音声制御部１４は、待機時間Ｔｗが経過するまで（イヤホンの種類を検出するまで）ステレオイヤホン動作を継続する。これによって、イヤホンの種類が検出され、例えば、音声制御部１４が自身の動作をモノラルイヤホンに対応する動作（モノラルイヤホン動作）からステレオイヤホン動作に切り替えた場合に、イヤホン９のノイズの発生を回避できる。
【００４９】
ステップＳ１０４でＹｅｓと判定された場合、すなわち、イヤホン検出制御部１３が待機時間Ｔｗは経過したと判定した場合、ステップＳ１０５へ進む。ステップＳ１０５において、イヤホン検出制御部１３は、図９、図１０の時間Ｔｓ２で、ステレオ検出信号Ｓｓを取得する動作をし、イヤホン９がステレオイヤホンであるか否かを検出する。
【００５０】
このように、本実施形態では、イヤホンの装着を検出した後、所定の待機時間Ｔｗが経過してから、イヤホンの種類を検出する。これによって、イヤホンの装着を検出するタイミングと、イヤホンの種類の検出タイミングとが異なる場合においても、装着されたイヤホンの種類をより確実に確定できる。
【００５１】
ステップＳ１０５でＹｅｓと判定された場合、すなわち、イヤホン検出制御部１３がステレオ検出信号Ｓｓを取得した場合、イヤホン検出制御部１３はステレオイヤホンがイヤホン接続端子８に装着されたことを検出する（図９の時間Ｔｓ２）。すなわち、イヤホン検出制御部１３は、イヤホン側端子２０がイヤホン接続端子８に差し込まれたイヤホン９は、ステレオイヤホンであると認識する。この場合、ステップＳ１０６へ進む。ステップＳ１０６において、音声制御部１４は、ステレオイヤホン動作を継続する。これによって、音声制御部１４によるイヤホンの動作の切り替えは発生しない。その結果、右チャンネルの音声信号ＳｔのＯＮ、ＯＦＦは発生しないので、イヤホン９のノイズの発生を回避できる。
【００５２】
次に、ステップＳ１０７へ進み、音声制御部１４は、イヤホン９のイヤホン側端子２０が電子機器１のイヤホン接続端子８から抜き取られたか否かを判定する。ステップＳ１０７でＮｏと判定された場合、すなわち、イヤホン９のイヤホン側端子２０がイヤホン接続端子８から抜き取られていない場合、音声制御部１４は、ステレオイヤホン動作を継続する。すなわち、音声制御部１４は、イヤホン９のイヤホン側端子２０がイヤホン接続端子８から抜き取られるまでは、イヤホン９のイヤホン側端子２０がイヤホン接続端子８に差し込まれた後に確定された動作（検出されたイヤホンの種類に対応した動作であり、この場合はステレオイヤホン動作）を継続する。
【００５３】
これによって、ステレオ検出信号ＳｓのみがＯＮ、ＯＦＦを繰り返した場合であってもステレオイヤホン動作が維持されるので、イヤホン９にノイズが発生することを回避できる。例えば、第２接点８Ｍとステレオ検出用接点２２との接触状態のみが不完全であることに起因して、ステレオ検出信号ＳｓがＯＮ、ＯＦＦを繰り返した場合でも、音声制御部１４がステレオイヤホン動作を継続することによりイヤホン９の動作はステレオ動作に維持されるので、イヤホンの動作切り替えに起因するノイズの発生を回避できる。ステップＳ１０７でＹｅｓと判定された場合、すなわち、イヤホン９のイヤホン側端子２０がイヤホン接続端子８から抜き取られた場合、本実施形態に係る制御は終了する。
【００５４】
次に、ステップＳ１０５に戻って説明する。ステップＳ１０５でＮｏと判定された場合、すなわち、イヤホン検出制御部１３がステレオ検出信号Ｓｓを取得しなかった場合（図１０の時間Ｔｓ２）、イヤホン検出制御部１３はモノラルイヤホンがイヤホン接続端子８に装着されたことを検出する。すなわち、イヤホン検出制御部１３は、イヤホン側端子２０がイヤホン接続端子８に差し込まれたイヤホン９は、モノラルイヤホンであると認識する。
【００５５】
この場合、ステップＳ１０８へ進む。ステップＳ１０８において、音声制御部１４は、自身の動作を、ステレオイヤホン動作からモノラルイヤホン動作に切り替える。具体的には、音声制御部１４は、右チャンネル及び左チャンネルの両方の音声信号をイヤホン９に対して出力していた動作から、右チャンネルの音声信号Ｓｔの出力を停止し（図１０の時間Ｔｔｓ）、左チャンネルの音声信号のみをイヤホン９に出力する動作に切り替える。これによって、装着されたイヤホンの種類に応じた動作を確実に実行できる。また、このようにしても、モノラルイヤホンには、もともと右側の発音部は存在しないので、音声制御部１４がステレオイヤホン動作からモノラルイヤホン動作に切り替えたとしても、切り替え時のノイズは発生しない。また、右チャンネルの音声信号Ｓｔの出力を停止するので、ステレオイヤホン動作を継続する場合と比較して、イヤホン９の消費電力を低減できる。
【００５６】
次に、ステップＳ１０９へ進み、音声制御部１４は、イヤホン９のイヤホン側端子２０が電子機器１のイヤホン接続端子８から抜き取られたか否かを判定する。ステップＳ１０９でＮｏと判定された場合、すなわち、イヤホン９のイヤホン側端子２０がイヤホン接続端子８から抜き取られていない場合、音声制御部１４は、モノラルイヤホン動作を継続する。すなわち、音声制御部１４は、イヤホン９のイヤホン側端子２０がイヤホン接続端子８から抜き取られるまでは、イヤホン９のイヤホン側端子２０がイヤホン接続端子８に差し込まれた後に確定された動作（この場合はモノラルイヤホン動作）を継続する。これによって、ステップＳ１０９でＹｅｓと判定された場合、すなわち、イヤホン９のイヤホン側端子２０がイヤホン接続端子８から抜き取られた場合、本実施形態に係る制御は終了する。
【産業上の利用可能性】
【００５７】
以上のように、本発明に係る電子機器は、イヤホンに音声信号を出力する機能を有する電子機器に有用であり、特に、イヤホンの装着を検出するタイミングと、イヤホンの種類の検出タイミングとが異なる場合に適している。
【符号の説明】
【００５８】
１  電子機器
１Ｃ  筐体
１ＣＡ  第１筐体
１ＣＢ  第２筐体
２  ディスプレイ
３  操作部
３Ａ  操作キー
３Ｂ  方向及び決定キー
４  ヒンジ機構
４Ａ  第１ヒンジ部
４Ｂ  第２ヒンジ部
５  マイク
６  スピーカ
７  アンテナ
８  イヤホン接続端子
８Ｃ  第１接点
８Ｍ  第２接点
９  イヤホン
９Ｒ  右側発音部
９Ｌ  左側発音部
１０  制御装置
１１  主処理部
１２  記憶部
１３  イヤホン検出制御部
１４  音声制御部
１５  通信制御部
２０  イヤホン側端子
２１  イヤホン検出用接点
２２  ステレオ検出用接点
【図１】
2010177773.tif 000003
【図２】
2010177773.tif 000004
【図３】
2010177773.tif 000005
【図４−１】
2010177773.tif 000006
【図４−２】
2010177773.tif 000007
【図４−３】
2010177773.tif 000008
【図５】
2010177773.tif 000009
【図６】
2010177773.tif 000010
【図７】
2010177773.tif 000011
【図８】
2010177773.tif 000012
【図９】
2010177773.tif 000013
【図１０】
2010177773.tif 000014